(57)【要約】【課題】  複数のコンピュータに電源を供給するコンセントボックスの各コンセントとコンピュータとの接続関係を容易に確実に確認できるようにする。【解決手段】  電源接続抽出装置５の接続分析管理手段５３は、所望するコンセント３１に接続されるコンピュータ１のみとの電灯線ＬＡＮ通信を要求し、これに応じて通信制御手段３５は、電灯線ＬＡＮ手段５１と当該コンピュータの電灯線ＬＡＮ通信手段３３との通信を可能にし、他のコンピュータとの通信は遮断する。ＩＤ入手手段５１は当該コンピュータ１のＩＤ１３を読み込み、接続分析管理手段５３に取り込む。この作業を全てのコンピュータについて行い、各コンピュータのＩＤを入手する。接続分析管理手段５３は、取り込んだ情報を分析することにより、各コンセント３１にどのコンピュータ１が接続されているかを認識することができる。【選択図】  図１
2006285486.tif 000002
【特許請求の範囲】
【請求項１】
それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する電源接続抽出装置とが互いに電灯線ＬＡＮ通信を行うように接続されてなるコンピュータ電源接続管理システムであって、
前記電源接続抽出装置は前記複数のコンセントの１つを指示し、前記コンセントボックスは指示されたコンセントに接続されたコンピュータと前記電源接続抽出装置との通信を可能にする制御を行い、前記電源接続抽出装置は該コンピュータの識別情報を入手することを特徴とするコンピュータ電源接続管理システム。
【請求項２】
前記電源接続抽出装置は、全てのコンピュータの識別情報を入手し、各識別情報に基づいて各コンピュータと各コンセントとの接続関係を抽出することを特徴とする請求項１記載のコンピュータ電源接続管理システム。
【請求項３】
前記コンセントボックスは外部電源に接続され、該外部電源から電灯線ＬＡＮ通信パケットが流入するのを遮断する遮断手段を有することを特徴とする請求項１又は２記載のコンピュータ電源接続管理システム。
【請求項４】
それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する前記電源接続抽出装置とが互いに電灯線ＬＡＮ通信を行うように接続されてなるコンピュータ電源接続管理システムにおける前記電源接続抽出装置であって、
前記コンセントボックスに対して前記複数のコンセントの１つを選択し対応するコンピュータとの通信を要求する通信要求手段と、
前記対応するコンピュータと通信して該コンピュータの識別情報を入手する入手手段とを備えたことを特徴とする電源接続抽出装置。
【請求項５】
前記通信要求手段は全てのコンピュータとの通信を要求し、前記入手手段は全てのコンピュータの識別情報を入手するようになし、入手した各識別情報に基づいて各コンピュータと各コンセントとの接続関係を抽出する抽出手段を備えたことを特徴とする請求項４記載の電源接続抽出装置。
【請求項６】
それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する前記電源接続抽出装置とが互いに電灯線ＬＡＮ通信を行うように接続されてなるコンピュータ電源接続管理システムにおける前記コンセントボックスであって、
各コンピュータがそれぞれ接続される複数のコンセントと、
前記電源接続抽出装置から指示されたコンセントと電源接続抽出装置との通信を可能にする通信制御手段と、
外部電源からの電力を各コンセントに分配する分配手段と、
前記外部電源から電灯線ＬＡＮパケットが流入するのを遮断する遮断手段とを備えたことを特徴とするコンセントボックス。
【請求項７】
それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する前記電源接続抽出装置とが互いに電灯線ＬＡＮ通信を行うように接続されてなるコンピュータ電源接続管理システムにおける前記電源接続抽出装置で用いられるプログラムであって、
前記コンセントボックスに対して複数のコンセントの１つを指示し該コンセントに接続されたコンピュータとの通信を要求する通信要求処理と、
前記接続されたコンピュータと通信して該識別情報を入手する入手処理と、
入手した各コンピュータの識別情報に基づいて各コンピュータと各コンセントとの接続関係を抽出する抽出処理とをＣＰＵに実行させるプログラム。
【請求項８】
それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する前記電源接続抽出装置とが互いに電灯線ＬＡＮ通信を行うように接続されてなるコンピュータ電源接続管理システムにおける前記コンセントボックスで用いられるプログラムあって、
前記電源接続抽出装置から指示されたコンセントに接続されたコンピュータと前記電源接続抽出装置との通信を可能にする通信制御処理と、
外部電源からの電力を各コンセントに分配する分配処理と、
前記外部電源から電灯線ＬＡＮパケットが流入するのを遮断する遮断処理とをＣＰＵに実行させるプログラム。
【発明の詳細な説明】
【技術分野】
【０００１】
本発明は、コンピュータシステムにおける電源ケーブル接続の妥当性を確認するためのコンピュータ電源接続管理システム、このシステムで用いられる電源接続抽出装置、コンセントボックス及び電源接続抽出装置で用いられるプログラムに関するものである。
【背景技術】
【０００２】
オープン系コンピュータ装置の大多数は電源受電部を冗長化しており、システム設計の際には、その冗長性を損なわないように各電源受電部を異なる電源系統に分散接続して、電源障害のリスクに備えるのが一般的である。このようなコンピュータシステムにおいて、システム設計通りに実機が電源接続されているか否かを確認する場合、従来は目視確認が一般的であったが、ラックシステムへ多数のコンピュータが搭載される現在においてはもはや目視確認は限界に達している。
【０００３】
従来より、電化製品が利用された場所を把握できるようにした家電ネットワークが提案されている（例えば、特許文献１参照）。また、ネットワーク管理を行う場合に、ネットワーク構成を表示するにあたり、複数の接続ポートを持つネットワーク中のどのポートと機器が接続しているかを画面上で容易に確認できるようにしたネットワーク構成図表示方法が提案されている（例えば、特許文献２参照）。
【特許文献１】特開２００４−２３４９７号公報
【特許文献２】特開２００１−３０８８７３号公報
【発明の開示】
【発明が解決しようとする課題】
【０００４】
上記特許文献２に示す従来技術はスイッチングハブを使用した際の接続経路を示したもので、後述する本発明のように電灯線ＬＡＮを用いたバス接続の際には使用することはできない。また、特許文献１も電灯線ＬＡＮを使用するものではない。
本発明は、コンピュータシステムの電源ケーブル接続において、その電源ケーブル接続の妥当性を目視確認できない状況においても、接続経路を抽出できるようにすることを課題とする。
本発明では、コンピュータとその電源供給を司るコンセントボックスの各コンセント間の電源接続関係を抽出可能とすることで、容易にその接続を確認可能とするものである。
【課題を解決するための手段】
【０００５】
請求項１記載の発明は、それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する電源接続抽出装置とが互いに電灯線ＬＡＮ通信を行うように接続されてなるコンピュータ電源接続管理システムであって、前記電源接続抽出装置は前記複数のコンセントの１つを指示し、前記コンセントボックスは指示されたコンセントに接続されたコンピュータと前記電源接続抽出装置との通信を可能にする制御を行い、前記電源接続抽出装置は該コンピュータの識別情報を入手することを特徴とする。
【０００６】
請求項２記載の発明は、請求項１記載の発明において、前記電源接続抽出装置は、全てのコンピュータの識別情報を入手し、各識別情報に基づいて各コンピュータと各コンセントとの接続関係を抽出することを特徴とする。
【０００７】
請求項３記載の発明は、請求項１又は２記載の発明において、前記コンセントボックスは外部電源に接続され、該外部電源から電灯線ＬＡＮ通信パケットが流入するのを遮断する遮断手段を有することを特徴とする。
【０００８】
請求項４記載の発明は、それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する前記電源接続抽出装置とが互いに電灯線ＬＡＮ通信を行うように接続されてなるコンピュータ電源接続管理システムにおける前記電源接続抽出装置であって、前記コンセントボックスに対して前記複数のコンセントの１つを選択し対応するコンピュータとの通信を要求する通信要求手段と、前記対応するコンピュータと通信して該コンピュータの識別情報を入手する入手手段とを備えたことを特徴とする。
【０００９】
請求項５記載の発明は、請求項４記載の発明において、前記通信要求手段は全てのコンピュータとの通信を要求し、前記入手手段は全てのコンピュータの識別情報を入手するようになし、入手した各識別情報に基づいて各コンピュータと各コンセントとの接続関係を抽出する抽出手段を備えたことを特徴とする。
【００１０】
請求項６記載の発明は、それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する前記電源接続抽出装置とが互いに電灯線ＬＡＮ通信を行うように接続されてなるコンピュータ電源接続管理システムにおける前記コンセントボックスであって、各コンピュータがそれぞれ接続される複数のコンセントと、前記電源接続抽出装置から指示されたコンセントと電源接続抽出装置との通信を可能にする通信制御手段と、外部電源からの電力を各コンセントに分配する分配手段と、前記外部電源から電灯線ＬＡＮパケットが流入するのを遮断する遮断手段とを備えたことを特徴とする。
【００１１】
請求項７記載の発明は、それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する前記電源接続抽出装置とが互いに電灯線ＬＡＮ通信を行うように接続されてなるコンピュータ電源接続管理システムにおける前記電源接続抽出装置で用いられるプログラムであって、前記コンセントボックスに対して複数のコンセントの１つを指示し該コンセントに接続されたコンピュータとの通信を要求する通信要求処理と、前記接続されたコンピュータと通信して該識別情報を入手する入手処理と、入手した各コンピュータの識別情報に基づいて各コンピュータと各コンセントとの接続関係を抽出する抽出処理とをＣＰＵに実行させるプログラムである。
【００１２】
請求項８記載の発明は、それぞれ識別情報を持つ１つ以上のコンピュータと、各コンピュータがそれぞれ接続される複数のコンセントを有し各コンセントを介して各コンピュータに電源電力を分配供給するコンセントボックスと、各コンピュータがどのコンセントに接続されているかを前記コンセントボックスを介して検出する前記電源接続抽出装置とが互いに電灯線ＬＡＮ通信を行うように接続されてなるコンピュータ電源接続管理システムにおける前記コンセントボックスで用いられるプログラムあって、前記電源接続抽出装置から指示されたコンセントに接続されたコンピュータと前記電源接続抽出装置との通信を可能にする通信制御処理と、外部電源からの電力を各コンセントに分配する分配処理と、前記外部電源から電灯線ＬＡＮパケットが流入するのを遮断する遮断処理とをＣＰＵに実行させるプログラムである。
【発明の効果】
【００１３】
請求項１，４，６，７，８の発明によれば、コンピュータとコンセントとの目視では確認不可能な接続に関して現状での実際の接続関係を確実に抽出することができる。また、接続の確認対象である電源ケーブル自体を通信媒体とする電灯線ＬＡＮを用いるので、特別な配線等を必要とせず、容易に実現することができる。
【００１４】
請求項２，５の発明によれば、全てのコンピュータと各コンセントとの現状の接続関係を確実に抽出し、各コンピュータが所定のコンセントに接続されているかを知ることができる。
請求項３の発明によれば、外部電源から電灯線ＬＡＮパケットがコンピュータに流入することを確実に阻止することができる。
【発明を実施するための最良の形態】
【００１５】
以下、本発明の実施形態を図面と共に説明する。
図１は本発明の実施形態によるコンピュータ電源接続管理システムを示す構成図である。
本実施形態は、複数のコンピュータとそれらの電源供給を司るコンセントボックス間の電源接続を自動的に抽出することで、容易に各コンピュータの接続状態を確認可能とするものである。
【００１６】
図１において、複数のコンピュータ１は、コンセントボックス３に設けたコンセント３１に接続され、コンセントボックス３は、分電盤２からの電源電力を電源ケーブル４を通じてコンセント３１から分配供給する。各コンピュータ１が所定のコンセント３１に正しく接続されているかを、電源接続抽出装置５が管理している。電源接続抽出装置５はコンセントボックス３のコンセント３２に接続されている。
【００１７】
電源接続抽出装置５、各コンピュータ１、コンセントボックス３には、電源ケーブル４を利用した電灯線ＬＡＮ通信を用いて相互に通信するための電灯線ＬＡＮ手段５１、１１、３３が設けられている。また、コンピュータ１には、ＡＣ電源１２が設けられると共に、任意の値を設定可能なＩＤ１３が設定されている。電源接続抽出装置５には、各コンピュータ６のＩＤ１３を電灯線ＬＡＮを介して読み込むＩＤ入手手段５２が設けられている。
【００１８】
コンセントボックス３には、電源接続抽出装置５からの電灯線ＬＡＮパケットをコンセント３１からコンピュータ１へ通すか否かを制御する通信遮断手段３４と、この通信遮断手段３４に対して電灯線ＬＡＮパケットの遮断・通過を指示する通信制御手段３５が設けられている。電源接続抽出装置５には、上記通信制御手段３５に対して所望のコンセント３１のみ電灯線ＬＡＮパケットの通過を指示するための接続分析管理手段５３と、外部から分電盤２を通じて電灯線ＬＡＮパケットが流入するのを防止するための電灯線ＬＡＮ遮断手段３６とが設けられている。
【００１９】
電源接続抽出装置５は、分電盤２外部からの電灯線ＬＡＮパケットの流入の影響を受けることなく、所望のコンセント３１に接続されているコンピュータ１のみと電灯線ＬＡＮ通信を行って各コンセント３にどのコンピュータ１が接続されているかを分析管理することにより、電源接続構成を抽出するものである。
【００２０】
次に、上記構成による動作について説明する。
電源接続抽出装置５内の接続分析管理手段５３は、電灯線ＬＡＮ手段５１とコンセントボックス３内の電灯線ＬＡＮ手段３３との電灯線ＬＡＮ通信を介して通信制御手段３５に対して、所望するコンセント３１を指示し、このコンセント３１に接続されているコンピュータ１のみとの電灯線ＬＡＮ通信を要求する。これに応じて通信制御手段３５は、該当コンセント３１に対応する通信遮断手段３４のみ電灯線ＬＡＮパケットを通過させ、他のコンセント３１に対応する通信遮断手段３４は電灯線ＬＡＮパケットを遮断する制御を行う。
【００２１】
以上の動作により、電源接続抽出装置５は所望するコンセント３１に接続されているコンピュータ１のみと電灯線ＬＡＮ通信が可能となり、ＩＤ入手手段５１はそのコンピュータ１に設定されたＩＤ１３を読み込み、これを接続分析管理手段５３が取り込む。電源接続抽出装置５は、上記作業を全てのコンセント３１について繰り返し行い、各コンセント３１にどのコンピュータ１が接続されているかを接続分析管理手段５３に取り込む。接続分析管理手段５３は、取り込んだ情報を分析することにより、電源接続構成を認識することができる。
【００２２】
尚、他の実施形態として以下のようであってもよい。
１．源接続抽出装置５は、電灯線ＬＡＮ手段５１を外部周辺装置として用意すれば、一般のコンピュータであってよい。
２．コンセントボックス３に汎用インタフェース（例えば１０ＢＡＳＥ−Ｔ等）を設けて通信可能とするなら、電源接続抽出装置５は一般のコンピュータであってよい。
３． コンピュータ１内部にＩＤ１３と電灯線ＬＡＮ手段１１を設けずとも、受電口にＩＤ１３及び電灯線ＬＡＮ手段１１を外付けで設けてもよい。
【００２３】
尚、前述した電源接続抽出装置５及びコンセントボックス３の動作に基づく各処理を、この電源接続抽出装置５及びコンセントボックス３のＣＰＵ７がそれぞれ実行するためのプログラムは本発明によるプログラムを構成する。このプログラムを記録する記録媒体としては、半導体記憶装置や光学的及び／又は磁気的な記憶装置等を用いることができる。このようなプログラム及び記録媒体を、前述した実施の形態とは異なる構成のシステム等で用い、そこのＣＰＵで上記プログラムを実行させることにより、本発明と実質的に同じ効果を得ることができる。
【図面の簡単な説明】
【００２４】
【図１】本発明の実施形態によるコンピュータ電源接続管理システムを示すブロック図である。
【符号の説明】
【００２５】
１    コンピュータ
２    分電盤
３    コンセントボックス
１１    電灯線ＬＡＮ手段
１３    ＩＤ
３１    コンセント
３３    電灯線ＬＡＮ手段
３４    通信遮断手段
３５    通信制御手段
３６    電灯線ＬＡＮ遮断手段
５    電源接続抽出装置
５１    電灯線ＬＡＮ手段
５２    ＩＤ入手手段
５３    接続分析管理手段
【図１】
2006285486.tif 000003